(57)【要約】【課題】可動役物を一時待機させるために新たな固定用の機構を必要とせず、コストの増大を抑制することできる技術を提供する。【解決手段】演出を表示する液晶パネルを備える表示器ユニットと、ＬＥＤライトを使用した可動役物とを備える。表示器ユニットは液晶パネルが取り付けられたアーム部材を上下させることが可能である。可動役物はレンズ部材を左右に分割して変位させることが可能である。液晶パネルを可動役物のレンズ部の位置まで移動させた際に、アーム部材をレンズ部材の支持部により下から支えることで、液晶パネルをその位置に待機させることができる。【選択図】図１２
2016195665.tif 000002
【特許請求の範囲】
【請求項１】
所定の演出が実行可能であり、変位可能な第１可動役物と、
前記第１可動役物を所定の基準位置から第１特定位置の間を変位させる変位装置と、
第１ユニットと第２ユニットを少なくとも備え、前記変位装置により前記第１可動役物が前記第１特定位置に変位していない場合、前記第１ユニットと前記第２ユニットとを前記第１特定位置において所定の演出を実行可能であり、前記変位装置により前記第１可動役物が前記第１特定位置に変位している場合、前記第１ユニットを前記第１特定位置から第２特定位置に変位させ、前記第２ユニットを前記第１特定位置から第３特定位置に変位させる第２可動役物と、
前記第１ユニットが前記第２特定位置に変位し、連動して前記第２ユニットが前記第３特定位置に変位し、かつ、前記第１可動役物が前記第１特定位置に変位した場合、前記第１ユニットに設けられた第１支持部及び前記第２ユニットに設けられた第２支持部を用いて前記第１可動役物を前記第１特定位置で待機させる支持手段と、
を備えることを特徴とする遊技機。
【請求項２】
請求項１に記載の遊技機において、
前記第１可動役物は、所定の保持装置に保持され、
前記支持手段は、前記保持装置を下から支える態様で維持することで、前記第１可動役物を前記第１特定位置で待機させ、
前記変位装置は、
前記保持装置を所定の２つの位置の間で変位させることで、前記保持装置により保持される前記第１可動役物を前記基準位置から前記第１特定位置の間を変位させ、
前記第１可動役物と前記保持装置との自重により前記第１可動役物が前記基準位置に復帰しようとする力に対抗した駆動力を所定の駆動源を駆動させることで発生させて、前記第１可動役物を前記基準位置と前記第１特定位置との間を変位させ、
前記第１可動役物が前記第１特定位置に位置し、かつ、前記保持装置が前記第１支持部及び前記第２支持部に下から支えられる状態となった場合、前記駆動源の駆動を中止させることを特徴とする遊技機。
【請求項３】
請求項１又は２に記載の遊技機において、
前記第１可動役物は、
所定の画像を表示することで演出を実行する演出表示装置を備えることを特徴とする遊技機。
【発明の詳細な説明】
【技術分野】
【０００１】
本発明は、遊技中に抽選契機が発生すると、図柄の変動表示を行った後に抽選の結果を表す態様で図柄を停止表示させる遊技機に関する。
【背景技術】
【０００２】
従来、この種の遊技機として、大当りか否かといった所定の抽選の結果を少なくとも表示するメイン液晶表示器の他に、演出を盛り上げるためにサブ液晶表示器を備え、そのサブ液晶表示器が回転する遊技機が知られている（例えば、特許文献１）。また、演出を盛り上げるために複数の可動役物を備え、一の可動役物が所定の位置に移動した後に、別の可動役物が一の可動役物に対して当接するように移動することで、一の可動役物を支持しつつ位置決めする遊技機が知られている（例えば、特許文献２）。
【先行技術文献】
【特許文献】
【０００３】
【特許文献１】特開２０１３−２０８３０８号公報
【特許文献２】特開２０１４−２８０９１号公報
【発明の概要】
【発明が解決しようとする課題】
【０００４】
上述した先行技術では、可動役物を所定位置へ移動し、その場所で一定時間待機させる場合、別途可動役物を固定する機構を設けて固定する必要があった。固定用の機構を設けると、それを設置するためのスペースを予め設ける必要があり、またコストが増大してしまうという問題があった。
【０００５】
そこで本発明は、可動役物を一時待機させるために新たな固定用の機構を必要とせず、コストの増大を抑制することできる技術の提供を課題とするものである。
【課題を解決するための手段】
【０００６】
本発明は、上記の課題を解決するため以下の解決手段を採用する。
解決手段１：本解決手段の遊技機は、所定の演出が実行可能であり、変位可能な第１可動役物と、前記第１可動役物を所定の基準位置から第１特定位置の間を変位させる変位装置と、第１ユニットと第２ユニットを少なくとも備え、前記変位装置により前記第１可動役物が前記第１特定位置に変位していない場合、前記第１ユニットと前記第２ユニットとを前記第１特定位置において所定の演出を実行可能であり、前記変位装置により前記第１可動役物が前記第１特定位置に変位している場合、前記第１ユニットを前記第１特定位置から第２特定位置に変位させ、前記第２ユニットを前記第１特定位置から第３特定位置に変位させる第２可動役物と、前記第１ユニットが前記第２特定位置に変位し、連動して前記第２ユニットが前記第３特定位置に変位し、かつ、前記第１可動役物が前記第１特定位置に変位した場合、前記第１ユニットに設けられた第１支持部及び前記第２ユニットに設けられた第２支持部を用いて前記第１可動役物を前記第１特定位置で待機させる支持手段と、を備えることを特徴とする遊技機である。
【０００７】
本解決手段の遊技機は、以下の構成を備える。
（１）所定の演出を実行可能であり、所定の基準位置から第１特定位置まで変位可能な第１可動役物が備えられている。
（２）上記（１）の第１可動役物とは別に、所定の演出を実行可能な第２可動役物が備えられている。
（３）上記（２）の第２可動役物は、２つの第１ユニットと第２ユニットとを備え、第１ユニットと第２ユニットが第１特定位置に隣接して位置している際に、演出を実行することができる。
（４）上記（３）の第２可動役物は、第１ユニットを第２特定位置まで変位させたり、第２ユニットを第３特定位置まで変位させたりすることができる。
（５）上記（３）の第１ユニットには第１支持部が設けられ、第２ユニットには第２支持部が設けられている。
【０００８】
（６）上記（１）の第１可動役物が第１特定位置に変位した場合、第１ユニットは第２特定位置に変位し、第２ユニットは第３特定位置に変位する。その際、第１可動役物（アーム部）の下に第１ユニットの第１支持部と第２ユニットの第２支持部が位置することとなる。そして、その第１支持部と第２支持部がアーム部を下から支えることによって、第１可動役物が所定時間にわたり待機することができる。
【０００９】
このように、それぞれ別の演出が実行可能である第１可動役物と第２可動役物がそれぞれ独立して可動することができる遊技機において、第１可動役物を所定位置まで変位させた際に、その位置で待機させるために新たな固定用の機構を必要とせず、第２可動役物の支持部をストッパーの役目とすることができる。これにより、コストの増大を抑制することができる。
【００１０】
解決手段２：本解決手段の遊技機は、解決手段１において、前記第１可動役物は、所定の保持装置に保持され、前記支持手段は、前記保持装置を下から支える態様で維持することで、前記第１可動役物を前記第１特定位置で待機させ、前記変位装置は、前記保持装置を所定の２つの位置の間で変位させることで、前記保持装置により保持される前記第１可動役物を前記基準位置から前記第１特定位置の間を変位させ、前記第１可動役物と前記保持装置との自重により前記第１可動役物が前記基準位置に復帰しようとする力に対抗した駆動力を所定の駆動源を駆動させることで発生させて、前記第１可動役物を前記基準位置と前記第１特定位置との間を変位させ、前記第１可動役物が前記第１特定位置に位置し、かつ、前記保持装置が前記第１支持部及び前記第２支持部に下から支えられる状態となった場合、前記駆動源の駆動を中止させることを特徴とする遊技機である。
【００１１】
本解決手段によれば、第１可動役物はアーム部を上下させることで変位が可能となっており、第１可動役物は駆動機構（モーター）により自重に逆らって動作することができる。また、駆動機構の駆動により第１可動役物が第１特定位置に変位した場合、アーム部の下に第１ユニットの第１支持部と第２ユニットの第２支持部が位置し、その第１支持部と第２支持部がアーム部を下から支える状態となった後に、駆動機構の駆動がＯＦＦにされる。なお、駆動機構がＯＦＦになったとしても、アーム部が第２可動役物により支えられているため、第１可動役物が落下することはない。したがって、それぞれ別の演出が実行可能である第１可動役物と第２可動役物がそれぞれ独立して可動することができる遊技機において、第１可動役物を所定位置まで変位させた際に、その位置で待機させるために新たな固定用の機構を必要とせず、第２可動役物の支持部をストッパーの役目とすることができる。これにより、コストの増大を抑制することができる。
【００１２】
解決手段３：本解決手段の遊技機は、解決手段１又は２において、前記第１可動役物は、所定の演出を表示する演出表示装置を備えることを特徴とする遊技機である。
【００１３】
第１可動役物の内部には、所定の画像を表示する表示パネル（液晶パネル）が配置されており、演出を実行しながら変位することができるため、遊技に対する興趣の低下を抑制することができる。
【発明の効果】
【００１４】
本発明の遊技機によれば、可動役物を一時待機させるために新たな固定用の機構を必要とせず、コストの増大を抑制することできる。
【図面の簡単な説明】
【００１５】
【図１】パチンコ機の正面図である。
【図２】パチンコ機の背面図である。
【図３】遊技盤ユニットを単独で示す正面図である。
【図４】サブ液晶可動役物ユニット７００が出現した状態における遊技盤ユニットの正面図である。
【図５】遊技盤ユニットの一部を拡大して示す正面図である。
【図６】サブ液晶可動役物ユニット７００を示す斜視図である。
【図７】サブ液晶可動役物ユニット７００を示す分解斜視図である。
【図８】サブ液晶可動役物７３０の主要部材のみを抜き出して示す分解斜視図である。
【図９】サブ液晶可動役物ユニット７００の上下動作を説明する図である。
【図１０】パトランプ可動役物ユニット８００を示す分解斜視図である。
【図１１】パトランプ可動役物ユニット８００の主要部材のみを抜き出して示す分解斜視図である。
【図１２】図９中（Ｃ）のＤ−Ｄ線に沿う断面図である。
【発明を実施するための形態】
【００１６】
以下、本発明の実施形態について、図面を参照しながら説明する。
図１は、パチンコ遊技機（以下、「パチンコ機」と略称する。）１の正面図である。また、図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照しつつパチンコ機１の全体構成について説明する。
【００１７】
〔全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００１８】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００１９】
一体扉ユニット４は、その下部位置に受皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００２０】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００２１】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００２２】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット８が直に露出し、この状態で遊技場の管理者が盤面内での球詰まり等の障害を取り除くことができる。また、一体扉ユニット４を開放すると、受け皿ユニット６も一緒に前面側へ開放される。
【００２３】
また、パチンコ機１は、遊技用ユニットとして上記の遊技盤ユニット８を備えている。遊技盤ユニット８は、一体扉ユニット４の背後（内側）で上記の内枠アセンブリ７に支持されている。遊技盤ユニット８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、一体扉ユニット４の裏側に図示しない取り付け具を介して取り付けられる。遊技盤ユニット８の前面には遊技領域８ａ（盤面、遊技盤）が形成されており、この遊技領域８ａは窓４ａを通じて前面側から遊技者に視認可能である。一体扉ユニット４が閉じられると、ガラスユニットの内面と盤面との間に遊技球が流下できる空間が形成される。
【００２４】
受け皿ユニット６は、全体的に一体扉ユニット４から前面側へ突出した形状をなしており、その上面に上皿６ｂが形成されている。この上皿６ｂには、遊技者に貸し出された遊技球（貸球）や入賞により獲得した遊技球（賞球）を貯留することができる。また、受け皿ユニット６には、上皿６ｂの下段位置に下皿６ｃが形成されている。この下皿６ｃには、上皿６ｂが満杯の状態でさらに払い出された遊技球が貯留される。なお、本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００２５】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお、遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００２６】
また、受け皿ユニット６の上面には、上段位置にある上皿６ｂの手前に上皿球抜きボタン６ｄが設置されており、そして下皿６ｃの手前でその中央部には下皿球抜きレバー６ｅが設置されている。遊技者は上皿球抜きボタン６ｄを例えば押し込み操作することで、上皿６ｂに貯留された遊技球を下皿６ｃへ流下させることができる。また、遊技者は、下皿球抜きレバー６ｅを例えば左方向へスライドさせることで、下皿６ｃに貯留された遊技球を下方へ落下させて排出することができる。排出された遊技球は、例えば図示しない球受け箱等に受け止められる。
【００２７】
受け皿ユニット６の右下部には、ハンドルユニット１６が設置されている。遊技者はこのハンドルユニット１６を操作することで発射制御基板セット１７４を作動させ、遊技領域８ａに向けて遊技球を発射する（打ち込む）ことができる（球発射装置）。発射された遊技球は、遊技盤ユニット８の下縁部から左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面、遊技盤）の構成については、別の図面を参照しながらさらに後述する。
【００２８】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から受皿ユニット６の前面部にまで回り込むようにして延びている。一体扉ユニット４においてガラス枠トップランプ４６や左右のガラス枠装飾ランプ４８，５０，５２等は、ガラスユニットを取り巻くようにして配置されている。
【００２９】
上述した各種ランプ４６，４８，５０，５２は、例えば内蔵するＬＥＤの発光（点灯や点滅、輝度階調の変化、色調の変化等）により演出を実行する。また、一体扉ユニット４の上部において、左トップレンズユニット４７及び右上電飾ユニット４９にはそれぞれガラス枠上スピーカ５４，５５が組み込まれている。一方、外枠ユニット２の左下位置には外枠スピーカ５６が組み込まれている。これらスピーカ５４，５５，５６は、効果音やＢＧＭ、音声等（音響全般）を出力して演出を実行するものである。
【００３０】
また、受け皿ユニット６の中央には、上皿６ｂの手前位置に演出切替ボタン４５が設置されている。演出切替ボタン４５は、例えば押し込み式の円形状ボタンとその周囲に回転式のジョグリング（ジョグダイアル）を組み合わせた形態である。遊技者は、この演出切替ボタン４５を押し込み操作又は回転操作することで演出内容（例えばメイン液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００３１】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。
【００３２】
上記の払出装置ユニット１７２は、例えば賞球タンク１７２ａ及び賞球ケース（参照符号なし）を有しており、このうち賞球タンク１７２ａは内枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００３３】
また、上記の外部端子板１６０は、パチンコ機１を外部の電子機器（例えばデータ表示装置、ホールコンピュータ等）に接続するためのものであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００３４】
電源コード１６４は、例えば遊技場の島設備に設置された電源装置（例えばＡＣ２４Ｖ）に接続されることで、パチンコ機１の動作に必要な電源（電力）を確保するものである。また、アース線１６６は、同じく島設備に設置されたアース端子に接続されることで、パチンコ機１のアース（接地）を確保するものである。
【００３５】
〔盤面の構成〕
【００３６】
図３は、遊技盤ユニット８を単独で示す正面図である。遊技盤ユニット８は、ベースとなる遊技板８ｂを備えており、この遊技板８ｂの前面側に遊技領域８ａが形成されている。遊技板８ｂは、例えば透明樹脂板で構成されており、遊技盤ユニット８が内枠アセンブリ７に固定された状態で、遊技板８ｂの前面はガラスユニットに平行となる。遊技板８ｂの前面には、略円形状に設置された発射レール（参照符号なし）の内側に上記の遊技領域８ａが形成されている。
【００３７】
遊技領域８ａ内には、その中央位置に比較的大型の演出ユニット４０が配置されており、この演出ユニット４０を中心として遊技領域８ａが左側部分、右側部分及び下部分に大きく分かれている。遊技領域８ａの左側部分は、通常遊技状態（低確率非時間短縮状態）で使用される第１遊技領域（左打ち領域）であり、遊技領域８ａの右側部分は、有利遊技状態（大当り遊技状態、小当り遊技状態、低確率時間短縮状態、高確率時間短縮状態等）で使用される第２遊技領域（右打ち領域、特定の領域）である。また、遊技領域８ａ内には、演出ユニット４０の下部周辺に始動ゲート２０、普通入賞口２２，２４、左始動入賞口２６，中・右始動入賞口２８ａ、可変始動入賞装置２８、可変入賞装置３０、振り分け装置入口２０２及び３方向振り分け装置２００等が分布して配置されている。
【００３８】
なお、始動ゲート２０は３方向振り分け装置２００内と可変始動入賞装置２８の上方の２箇所に配置されているが、以降の記述において単に始動ゲート２０と称する場合は、３方向振り分け装置２００内に設けられた始動ゲートを指すものとする。また、始動入賞口２８ａについても同様に、３方向振り分け装置２００内と可変始動入賞装置２８の内部の２箇所に設けられているが、以降の記述において中始動入賞口２８ａと称する場合は、３方向振り分け装置２００内に設けられた始動入賞口を、右始動入賞口２８ａと称する場合は可変始動入賞装置２８の内部に設けられた始動入賞口を、それぞれ指すものとする。
【００３９】
遊技領域８ａの下部分の中央位置には３方向振り分け装置２００が配置されており、この内部において、左始動入賞口２６、始動ゲート２０及び中始動入賞口２８ａが横一列に配列されている。３方向振り分け装置２００の上端部には振り分け装置入口２０２が形成されている。遊技領域８ａの右側部分に連なる下部分には、まず可変入賞装置３０が配置され、その中央寄りの下方には普通入賞口２４と第２の始動ゲート２０（可変始動入賞装置２８の上方の始動ゲート２０）とが隣接し、さらに第２の始動ゲート２０の下方には可変始動入賞装置２８が配置されている。遊技領域８ａの左側部分に連なる下部分には、普通入賞口２２が配置されている。３方向の振り分け機構は、特に図示していないが、例えば３つの穴の開いた回転体や、３つの方向に傾斜した面を有する回転体、３つのルートに振り分けることができる三つ又の構造物等を用いることにより遊技球を３方向に振り分けることができる。
【００４０】
遊技領域８ａ内に放り込まれた遊技球は、その流下の過程で無作為に始動ゲート２０を通過したり、３方向振り分け装置２００に入球したり、或は、普通入賞口２２，２４や、中始動入賞口２８ａ、左始動入賞口２６に入賞（入球）したりする。始動ゲート２０を通過した遊技球は引き続き遊技領域８ａ内を流下するが、入賞口に入賞した遊技球は遊技板８ｂに形成された貫通孔を通じて遊技盤ユニット８の裏側へ回収される。
【００４１】
また、遊技領域８ａ内に放り込まれた遊技球は、作動時の可変始動入賞装置２８、開放動作時の可変入賞装置３０（大入賞口）に入球したりする。ここで、遊技領域８ａの左側領域を流下する遊技球は、主に３方向振り分け装置２００に進入して左始動入賞口２６に入球するか、始動ゲート２０を通過するか、中始動入賞口２８ｂに入球したりする。また、３方向振り分け装置２００に進入しない遊技球は普通入賞口２２に入球する可能性がある。一方、遊技領域８ａの右側領域を流下する遊技球は、主に第２の始動ゲート２０を通過するか、作動時の可変始動入賞装置２８（右始動入賞口２８ａ）に入球するか、開放動作時の可変入賞装置３０（大入賞口）に入球するか、普通入賞口２４に入球する可能性がある。
【００４２】
ここで、本実施形態では、遊技領域８ａ（盤面）の構成上、振り分け装置入口２０２や普通入賞口２２に遊技球を入球させる場合は、遊技領域８ａ内の左側部分の領域（左打ち領域）に遊技球を打ち込む（いわゆる「左打ち」を実行する）必要がある。
【００４３】
一方、第２の始動ゲート２０に遊技球を通過させる場合、又は、可変始動入賞装置２８や可変入賞装置３０、普通入賞口２４に遊技球を入球させる場合は、遊技領域８ａ内の右側部分の領域（右打ち領域）に遊技球を打ち込む（いわゆる「右打ち」を実行する）必要がある。
【００４４】
本実施形態において、上記の可変始動入賞装置２８は、所定の作動条件が満たされた場合（普通図柄が当りの態様で所定の停止表示時間にわたり停止表示された場合）に作動し、それに伴って右始動入賞口２８ａ（所定の入球口）への入球を可能にする（普通電動役物）。可変始動入賞装置２８には、一対をなす羽根型（いわゆる電チュータイプ）の開閉部材２８ｂが設けられている。図示の状態にて、一対の開閉部材２８ｂは、盤面に対して直立した位置（閉鎖位置）にあり、遊技球が右始動入賞口２８ａに入球することを不能（又は極めて困難）にしている。一方、一対の開閉部材２８ｂが盤面に沿って左右方向に開いた（いわゆる拡開した）位置（開放位置）に移動すると、一対の開閉部材２８ｂは上方から流下してくる遊技球を受け止め、右始動入賞口２８ａに遊技球を案内する。なお、可変始動入賞装置２８は、単一の開閉部材がその下端縁部分をヒンジとして前方へ倒れ込むように変位して、右始動入賞口２８ａを開放する装置であってもよいし、舌片型（ベロタイプ）の開閉部材が盤面に対して前後方向に往復動作（いわゆる突没）して右始動入賞口２８ａを開放する装置であってもよい。
【００４５】
また可変入賞装置３０は、既定の条件が満たされた場合（特別図柄が非当選以外の態様で停止表示された場合）に作動し、大入賞口への入球を可能にする（特別電動役物、特別入球事象発生手段）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置（閉止状態）にあり、このとき大入賞口への入賞は困難（大入賞口は閉塞中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入が容易な状態となり、大入賞口への入賞という事象を発生させることができる。なお、このとき開閉部材３０ａは大入賞口への遊技球の流入を案内する部材としても機能する。また、可変入賞装置３０は、開閉部材が盤面の内部にスライドするタイプの装置（スライド式のアタッカ）であってもよい。
【００４６】
遊技盤ユニット８には、その中央位置から右側部分にかけて上記の演出ユニット４０が設置されている。演出ユニット４０は、その上縁部４０ａが遊技球の流下方向を変化させる案内部材として機能する他、その内側に各種の可動装飾体５００，パトランプ可動役物ユニット８００等を備えている。これら可動装飾体５００，パトランプ可動役物ユニット８００等はその立体的な造形により遊技盤ユニット８の装飾性を高めるとともに、例えば内蔵された発光器（ＬＥＤ等）により透過光を発することで、演出的な動作をすることができる。さらに可動装飾体５００，パトランプ可動役物ユニット８００は、それぞれ固有の演出動作を行うことができる。また、演出ユニット４０の内側にはメイン液晶表示器４２（演出表示器）が設置されており、このメイン液晶表示器４２には特別図柄に対応させた演出図柄をはじめ、各種の演出画像が表示される。このように遊技盤ユニット８は、その盤面の構成（図示しないセル板のデザイン）や演出ユニット４０の装飾性に基づいて、遊技者にパチンコ機１の特徴を印象付けている。また、本実施形態のように遊技板８ｂが透明樹脂板（例えばアクリル板）である場合、前面側だけでなく遊技板８ｂの背後に配置された各種の装飾体（可動体や発光体を含む）による装飾性を付加することができる。
【００４７】
演出ユニット４０の内部には、演出用の可動装飾体５００，パトランプ可動役物ユニット８００とともに駆動源（例えばモータ、ソレノイド等）や各種の動力伝達機構（歯車伝達機構、リンク機構等）が付属している。可動装飾体５００，パトランプ可動役物ユニット８００は、メイン液晶表示器４２による画像を用いた演出や発光器による演出に加えて、有形物の動作を伴う演出を実行することができる。これら可動装飾体５００，パトランプ可動役物ユニット８００を用いた演出により、二次元の画像を用いた演出とは別の訴求力を発揮することができる。また、メイン液晶表示器４２の下部にはサブ液晶可動役物ユニット７００（サブ液晶ユニット７３０）が配置されている。
【００４８】
また、演出ユニット４０の左側縁部には球案内通路４０ｄが形成されており、その下縁部には転動ステージ４００が形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４００上に放出される。転動ステージ４００の上面は滑らかな湾曲面を有しており、ここでは遊技球が左右方向に転動自在である。転動ステージ４００上で転動した遊技球は、やがて下方の遊技領域８ａ内に流下する。転動ステージ４００の中央位置には高確放出路４２０が、その両側には普通放出路４１０がそれぞれ形成されている。転動ステージ２００から高確放出路４２０に案内された遊技球は、その真下にある３方向振り分け装置２００への入口となる振り分け装置入口２０２に流入しやすくなる。
【００４９】
その他、遊技領域８ａ内にはアウト口３２が形成されており、各種入賞口に入球（入賞）しなかった遊技球は最終的にアウト口３２を通じて遊技盤ユニット８の裏側へ回収される。また、普通入賞口２２，２４や左始動入賞口２６、中始動入賞口２８ａ、右始動入賞口２８ａ、可変入賞装置３０に入球した遊技球も含めて、遊技領域８ａ内に打ち込まれた全ての遊技球は遊技盤ユニット８の裏側へ回収される。回収された遊技球は、図示しないアウト通路アセンブリを通じてパチンコ機１の裏側から枠外へ排出され、さらに図示しない島設備の補給経路に合流する。
【００５０】
図３に示されるように、可動装飾体５００は、非作動時には格納位置に格納されてその外形の全容を視認することができない状態となる。これらは、メイン液晶表示器４２による画像の表示と同期して又は単独で演出を行う際にそれぞれの可動領域内で移動して視認可能な位置まで出現する。
【００５１】
また遊技盤ユニット８には、例えば窓４ａ内の右下位置に普通図柄表示装置３３と普通図柄作動記憶ランプ３３ａが設けられている他、第１特別図柄表示装置３４（第１図柄表示手段）、第２特別図柄表示装置３５（第２図柄表示手段）、第１特別図柄作動記憶ランプ３４ａ、第２特別図柄作動記憶ランプ３５ａ及び遊技状態表示装置３８が設けられている（普通図柄表示手段、特別図柄表示手段、抽選要素記憶手段）。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００５２】
図４は、サブ液晶可動役物ユニット７００（サブ液晶ユニット７３０）が出現した状態における遊技盤ユニットの正面図である。サブ液晶可動役物ユニット７００は、その初期状態（非作動時の退避位置）では下側の一部がステージ４００の後方に隠れる位置にあり、演出に合わせて作動することにより上昇すると全体が視認しやすくなる。サブ液晶可動役物ユニット７００は、その液晶部分に演出画像を表示し或は発光し、その左右両端を支持する材アーム部材の上下動に伴い上昇し、下降し、或は上昇しながら回転する等、多様に動作する。
【００５３】
サブ液晶可動役物ユニット７００は演出に用いられる可動体の１つであり、他の可動装飾体５００，パトランプ可動役物ユニット８００と同様に専用の駆動源の動力伝達機構が用意されている。また、液晶を内蔵している性質上ある程度の厚みを有しており、上述のように回転動作も可能であることから、その可動領域は演出ユニット４０の上下方向のみならず奥行方向にも及んでいる。
【００５４】
図５は、遊技盤ユニット８の一部を拡大して示す正面図である。具体的には、第１特別図柄や第２特別図柄を含む遊技状態の表示が行われる遊技状態表示装置３８が取り付けられた箇所を拡大して示している。
【００５５】
先ず第１特別図柄表示装置３４及び第２特別図柄表示装置３５は、例えばそれぞれ７セグメントＬＥＤ（ドット付き）により特別図柄の変動状態と停止状態とを表示することができる（図柄表示手段）。また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【００５６】
第１特別図柄作動記憶ランプ３４ａは、上記の中始動入賞口２６に遊技球が流入するごとに、入賞が発生したことを記憶する意味で１個ずつ増加後の表示態様へと変化していき（最大４個まで）、その入賞を契機として特別図柄の変動が開始されるごとに１個ずつ減少後の表示態様へと変化していく。また第２特別図柄作動記憶ランプ３５ａは、上記の中始動入賞口２８ａ又は可変始動入賞装置２８（右始動入賞口２８ａ）に遊技球が流入するごとに、入賞が発生したことを記憶する意味で１個ずつ増加後の表示態様へと変化し（最大４個まで）、その入賞を契機として特別図柄の変動が開始されるごとに１個ずつ減少後の表示態様へと変化する。なお本実施形態では、第１特別図柄作動記憶ランプ３４ａが未点灯（記憶数が０個）の場合、第１特別図柄が既に変動開始可能な状態（停止表示時）で左始動入賞口２６に遊技球が流入しても表示態様は変化しない。また第２特別図柄作動記憶ランプ３５ａが未点灯（記憶数が０個）の場合、第２特別図柄が既に変動開始可能な状態（停止表示時）で中始動入賞口２８ａに遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【００５７】
また遊技状態表示装置３８には、例えば大当り種別表示ランプ３８ａ，３８ｂ、確率変動状態表示ランプ３８ｄ、時短状態表示ランプ３８ｅにそれぞれ対応する４つのＬＥＤが含まれている。なお本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤ユニット８に取り付けられている。
【００５８】
〔賞球数及び獲得遊技球数について〕
第１特別図柄の始動口（左始動入賞口２６）の賞球数及び第２特別図柄の始動口（中・右始動入賞口）の賞球数は、それぞれ１個以上の規定数に設定されている。また、第１特別図柄の始動口と第２特別図柄の始動口とでは、賞球数を異ならせてもよい。さらに、特別図柄の当選確率や、総獲得遊技球数の期待値（初当りから時間短縮状態が終了するまでの一連の期間に得られる平均出球数）に基づいて、最低賞球数を設定してもよい。さらにまた、特別図柄の当選確率、総獲得遊技球数の期待値、大入賞口の開放回数、大入賞口の開放時間、大入賞口の最大入賞数、大入賞口の賞球数が所定の条件を満たした場合、１回の大当りによる獲得遊技球数が最大の獲得遊技球数の１／４未満となる大当りを設定してもよい。
【００５９】
〔サブ液晶可動役物ユニット７００〕
続いて、サブ液晶可動役物ユニット７００に関する構成について説明する。図６はサブ液晶可動役物ユニット７００を示す斜視図であり、図７はサブ液晶可動役物ユニット７００を示す分解斜視図であり、図８はサブ液晶ユニット７３０を示す分解斜視図である。
【００６０】
図示のように、サブ液晶可動役物ユニット７００は、アームユニット７１０（保持装置）、ホルダーユニット７２０、サブ液晶ユニット７３０（演出表示装置）から構成されている。アームユニット７１０を上下させることで、演出ユニット４０の手前において、サブ液晶可動役物ユニット７００をステージ４００の後方に隠れる位置から上方に位置するパトランプ可動役物ユニット８００の位置まで上下動作させることができる。
【００６１】
また、アームユニット７１０は、駆動源７１２、アーム部７１４内のリンク部、回転ギア７１６などを備え、駆動源７１２を駆動させることで、リンク部を通して回転ギア７１６を回転させ、その回転ギア７１６の回転により前後の軸を中心にホルダーユニット７２０を回転させることができる。すなわち、アームユニット７１０内の駆動源７１２を駆動させることで、ホルダーユニット７２０に内包する形態で保持されるサブ液晶ユニット７３０を前後の軸を中心に回転動作させることができる。また、アーム部７１４には受け部７１７が設けられており、サブ液晶可動役物ユニット７００が上方に移動し、この受け部７１７とその反対側のホルダーユニット７２０の端部が別の役物（パトランプ可動役物ユニット８００）により保持されることで、一定時間にわたり上方で待機されることとなる。
【００６２】
サブ液晶ユニット７３０は、サブ液晶前カバー７４０、サブ液晶部７５０、サブ液晶可動ユニット７６０、サブ液晶可動制限ユニット７７０、サブ液晶後カバー７８０から構成されている。サブ液晶部７５０、サブ液晶可動ユニット７６０及びサブ液晶可動制限ユニット７７０は、サブ液晶前カバー７４０とサブ液晶後カバー７８０に内包する形態で備えられる。画像や映像などの演出を表示する液晶パネル７５２は、サブ液晶部７５０に備えられ、サブ液晶部７５０の前面には液晶パネル７５２を保護しつつ、液晶パネル７５２の演出を視認可能な透明な材質から構成されるサブ液晶前カバー７４０が取り付けられている。
【００６３】
サブ液晶部７５０の背面には、左側にサブ液晶可動ユニット７６０が備えられている。サブ液晶可動ユニット７６０は駆動源と複数種類のギアから構成され、この駆動源を駆動させることで左右方向の軸を中心に回転することができる。具体的には、ホルダーユニット７２０にインサートピン７６１が固定した状態で接続され、そのインサートピン７６１に固定ギア７６２が固定した状態で接続されることで、そのインサートピン７６１を回転軸としてサブ液晶可動ユニット７６０が回転動作する。すなわち、サブ液晶可動ユニット７６０の駆動源を駆動することで、ホルダーユニット７２０に内包する形態で保持されるサブ液晶ユニット７３０が回転軸を中心に回転することとなる。
【００６４】
また、サブ液晶部７５０の背面の右側にサブ液晶可動制限ユニット７７０が備えられている。サブ液晶可動制限ユニット７７０は、複数のギアと軸受け部材などから構成され、サブ液晶可動ユニット７６０の回転に連動して軸受け部材を介して複数のギアが回転する。そして、そのギアの回転が所定の位置まで到達するとサブ液晶可動制限ユニット７７０のストッパー機能が働き、サブ液晶ユニット７３０の回転を制限することができる。
【００６５】
図９は、サブ液晶可動役物ユニット７００の上下動作を説明する図である。図９中（Ａ）は、ステージ４００の後方においてサブ液晶可動役物ユニット７００が初期位置において待機状態で保持されている場合を表す正面図である。なお、初期位置とは、サブ液晶可動役物ユニット７００の上下動作した際の下方に動作した位置であり、ステージ４００の後方の位置を表している。なお、ステージ４００は透明な部材で構成されており、ステージ４００を通して液晶パネル７５２を視認することができる。図９中（Ｂ）は、サブ液晶可動役物ユニット７００が上方に移動し、メイン液晶表示器４２の前面に位置している場合を表す正面図であり、図９中（Ｃ）は、サブ液晶可動役物ユニット７００がさらに上方に移動し、同時にパトランプ可動役物ユニット８００（可動役物）が左右に分割して移動し、パトランプ可動役物ユニット８００の移動前の位置においてサブ液晶可動役物ユニット７００が待機状態で保持される場合を表す正面図である。
【００６６】
ここで、図９中（Ｃ）に示す位置にサブ液晶可動役物ユニット７００が待機する際に、上下動作を制御する駆動源７１２はＯＦＦ状態にある。また、このサブ液晶可動役物ユニット７００を上方位置で一定時間にわたり待機させるために、別途役物固定用の機構を設けて固定（待機）させることなく、パトランプ可動役物ユニット８００を用いて上方位置で一定時間にわたり待機させることができる。なお、具体的な方法について、別の図面を用いて後述する。まず、パトランプ可動役物ユニット８００について説明する。
【００６７】
〔パトランプ可動役物ユニット８００〕
図１０は、パトランプ可動役物ユニット８００を示す分解斜視図であり、図１１は、パトランプ可動役物ユニット８００の主要部材のみを抜き出して示す分解斜視図である。
【００６８】
パトランプ可動役物ユニット８００は、パトランプ装飾ユニット８１０、パト開閉ケース８２０、パトカバースライドベース８３０、パトカバーリンク部８４０、反射板回転ユニット８５０、可動レンズユニット８６０から構成されている。パトランプ装飾ユニット８１０は、内部にＬＥＤランプなどを備え、演出を盛り上げることができる。パト開閉ケース８２０は、パトランプ装飾ユニット８１０に取り付けられる。パトカバースライドベース８３０は、パト開閉ケース８２０に取り付けられ、可動レンズユニット８６０を動作させるために用いられる溝部８３２を左側に２本、溝部８３４を右側に２本設けている。
【００６９】
パトカバーリンク部８４０は、パト開閉ケース８２０とパトカバースライドベース８３０の間に取り付けられ、複数種類のギア８４１，８４２，８４３、２本のレール８４４，８４５、スライドガイド部８４６，８４７から構成されている。また、このパトカバーリンク部８４０のギア８４１には可動レンズユニット８６０を動かすための駆動源８４８がパト開閉ケース８２０を介して接続されている。また、スライドガイド部８４６、８４７は溝部８３２，８３４に沿って動くことが可能となっている。
【００７０】
反射板回転ユニット８５０も同様に、パト開閉ケース８２０とパトカバースライドベース８３０の間に取り付けられ、複数種類のギア８５１，８５２，８５３、反射板８５５、固定ユニット８５６、導光棒８５７から構成されている。また、この反射板回転ユニット８５０のギア８５１には反射板８５５と導光棒８５７を回転させるための駆動源８５８がパト開閉ケース８２０を介して接続されている。固定ユニット８５６は導光棒８５７と反射板８５５とを固定している。導光棒８５７の開閉ケース側の先端にはＬＥＤライト（図示せず）が備えられており、ＬＥＤライトの光が導光棒８５７の示す一定の方向に向けて放出されることとなる。
【００７１】
可動レンズユニット８６０は、パトカバースライドベース８３０の下部に設けられ、可動レンズ左８６２、可動レンズ右８６４、リフレクタ左８６６、リフレクタ右８６８から構成されている。ここで、可動レンズ左８６２はリフレクタ左８６６と接続され、可動レンズ右８６４はリフレクタ右８６８と接続されている。また、可動レンズ左８６２は、パトカバースライドベース８３０の溝部８３２を介してスライドガイド部８４６及びレール８４４と接続され、可動レンズ右８６４は、パトカバースライドベース８３０の溝部８３４を介してスライドガイド部８４７及びレール８４５と接続されている。
【００７２】
次に、パトランプ可動役物ユニット８００の可動機構について説明する。パトランプ可動役物ユニット８００は、可動レンズユニット８６０が駆動源８４８の駆動により左右に動き、反射板回転ユニット８５０が駆動源８５８の駆動により回転する。それぞれ具体的に説明する。
【００７３】
駆動源８４８が駆動すると、ギア８４１が回転し、その回転によりギア８４２とギア８４３が回転することとなる。ギア８４２にはレール８４４が接続され、ギア８４２が回転することによりレール８４４がスライドすることとなる。そのレール８４４がスライドすると、スライドガイド部８４６を介して、可動レンズ左８６２とリフレクタ左８６６が溝部８３２に沿って動くこととなる。同様に、ギア８４３にはレール８４５が接続され、ギア８４３が回転することによりレール８４５がスライドすることとなる。そのレール８４５がスライドすると、スライドガイド部８４７を介して、可動レンズ右８６４とリフレクタ右８６８が溝部８３４に沿って動くこととなる。
【００７４】
駆動源８５８が駆動すると、ギア８５１が回転し、その回転によりギア８５２、８５３が連動して回転することとなる。そして、その回転するギア８５３に接続している導光棒８５７及び反射板８５５が導光棒８５７を中心に回転することとなる。これにより、あたかもＬＥＤライトから導光棒８５７を通して一定方向に放出された光が回転しているかのように演出することができる。
【００７５】
図１０に示す基準位置にパトランプ可動役物ユニット８００（可動役物）が位置しているのに対し、駆動源８４８が駆動すると、図１１に示すように、可動レンズ左８６２とリフレクタ左８６６は左端まで移動し、可動レンズ右８６４とリフレクタ右８６８は右端まで移動することができ、パトランプ可動役物ユニット８００は中央で結合している状態から左右に分割する状態に変化することとなる。
【００７６】
図１１に示すように、リフレクタ左８６６（第１ユニット）には係止部８６７（第１支持部）が設けられ、リフレクタ右８６８（第２ユニット）には係止部８６９（第２支持部）が設けられている。なお、基準位置において結合している状態ではリフレクタ左８６６の係止部８６７の下部にリフレクタ右８６８の係止部８６９の突起が位置することとなる。
【００７７】
これらの係止部８６７、８６９を利用して、サブ液晶可動役物ユニット７００が遊技機の上部において所定時間にわたり待機状態で保持されることとなる。具体的な内容について、図１２を参照しながらさらに後述する。図１２は、図９中（Ｃ）のＤ−Ｄ線に沿う断面図である。
【００７８】
なお、図１２において、パトランプ可動役物ユニット８００の可動レンズ左８６２とリフレクタ左８６６は溝部８３２の左端に対応する位置に移動している状態を表しており、可動レンズ右８６４とリフレクタ右８６８は溝部８３４の右端に対応する位置に移動している状態を表している。すなわち、パトランプ可動役物ユニット８００が開方向の末端まで移動していることを表している。また、サブ液晶可動役物ユニット７００については、上下動作して最上位置まで移動している状態を表している。なお、この状態ではサブ液晶可動役物ユニット７００はパトランプ可動役物ユニット８００に保持されていない。
【００７９】
ここで、サブ液晶可動役物ユニット７００を上方の待機位置で保持するために、パトランプ可動役物ユニット８００の可動レンズ左８６２とリフレクタ左８６６は溝部８３２の左端に対応する位置から中央側に若干戻る閉方向に移動が行われる。すなわち、リフレクタ左８６６の係止部８６７が閉方向に移動することとなる。この係止部８６７の閉方向への移動は、サブ液晶可動役物ユニット７００のアーム部７１４に設けられた受け部７１７の下方に係止部８６７が位置するまで行われる。また、その閉方向への移動に連動し、可動レンズ右８６４とリフレクタ右８６８は溝部８３４の右端に対応する位置から中央側に若干戻る閉方向に移動が行われる。すなわち、リフレクタ右８６８の係止部８６９が閉方向に移動することとなる。この係止部８６９の若干の閉方向への移動も、サブ液晶可動役物ユニット７００のホルダーユニット７２０の右奥部７２７の下方に係止部８６９が位置するまで行われる。
【００８０】
このように、パトランプ可動役物ユニット８００が一旦開方向に最大限移動した後に閉方向に若干移動し、係止部８６７、８６９がサブ液晶可動役物ユニット７００の受け部７１７やホルダーユニット７２７の下方に位置することで、この係止部８６７、８６９がストッパーの役目となり、パトランプ可動役物ユニット８００が再度開方向に移動しない限りサブ液晶可動役物ユニット７００は上方位置で待機可能となる。したがって、サブ液晶可動役物ユニット７００を上方位置で一定時間待機させるために、固定用の機構を必要とせずコストの増大を抑制でき、その固定用の機構設置に必要なスペースを別の可動役物であるパトランプ可動役物ユニット８００に使用することができる。
【００８１】
また、パチンコ機１の構造や盤面構成、具体的な数値等は図示のものも含めて好ましい例示であり、これらを適宜に変形可能であることはいうまでもない。
【符号の説明】
【００８２】
１    パチンコ機
８    遊技盤ユニット
８ａ  遊技領域
２０    始動ゲート
２８    可変始動入賞装置
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    メイン液晶表示器
４５    演出切替ボタン
７００  サブ液晶可動役物ユニット
７３０  サブ液晶ユニット
【図２】
2016195665.tif 000003
【図５】
2016195665.tif 000004
【図１】
2016195665.tif 000005
【図３】
2016195665.tif 000006
【図４】
2016195665.tif 000007
【図６】
2016195665.tif 000008
【図７】
2016195665.tif 000009
【図８】
2016195665.tif 000010
【図９】
2016195665.tif 000011
【図１０】
2016195665.tif 000012
【図１１】
2016195665.tif 000013
【図１２】
2016195665.tif 000014